(57)【特許請求の範囲】
【請求項１】
屋外側及び屋内側に配置される一対の操作部及び一対の台座と、一対の台座の内部を回転自在に貫通して上記一対の操作部を互いに連結する回転軸と、操作部の操作に連動して固定側扉の枠部分に着脱可能に係止される係止手段とを備えると共に、上記係止手段は、先端が前方に開いた平面視コ字形に形成され上記固定側扉の枠部分を屋外側と屋内側とから挟み込むコ字形挟持片により構成され、上記コ字形挟持片は、屋外側又は屋内側のいずれか一方の操作部に連動して回転する可動側打掛け片と、操作部とは連動せずに屋外側又は屋内側のいずれか他方の台座に対して固定される固定側打掛け片とに分離されており、少なくとも固定側打掛け片に固定側扉の枠部分に当たる戸当たりが設けられていることを特徴とする門扉用取手。
【請求項２】
上記コ字形挟持片によって挟み込まれる固定側扉の枠部分の平面視形状を丸い形状にしたことを特徴とする請求項１記載の門扉用取手。
【請求項３】
上記戸当たりをコ字形挟持片に対して着脱可能としたことを特徴とする請求項１記載の門扉用取手。
【請求項４】
上記固定側扉に対して回動する回動扉に、回動扉を閉じたときに固定側扉に当接する戸当たり部材が設けられ、上記戸当たり部材は、平面から見て回動扉の中心よりも回動扉の開き側に偏心して配置されていることを特徴とする請求項１記載の門扉用取手。
【請求項５】
上記戸当たり部材には、請求項１記載の一対の台座に跨って装着される取付プレートが一体に設けられており、一方の台座には取付プレートの一端側が取り付けられる取付部が設けられ、他方の台座には取付プレートの他端側がネジ締めされるネジ螺合孔が設けられ、取付プレートのネジ締めによって一対の台座が互いに締め付けられる方向に押圧されるように構成されていることを特徴とする請求項４記載の門扉用取手。
【請求項６】
上記戸当たり部材は、平面から見て回動扉の中心よりも屋外側に偏心して配置される状態と、戸当たり部材を反転して平面から見て回動扉の中心よりも屋内側に偏心して配置される状態とのいずれかの状態に着脱可能に取り付けられていることを特徴とする請求項４又は請求項５記載の門扉用取手。
【請求項７】
上記戸当たり部材は、請求項１記載のコ字形挟持片の内側に配置され、戸当たり部材と対向するコ字形挟持片の一片側にアタッチメントを取り付け、戸当たり部材とアタッチメントとで固定側扉の枠部分を屋外側と屋内側とから挟み込むようにしたことを特徴とする請求項４乃至請求項６のいずれかに記載の門扉用取手。
【発明の詳細な説明】
【０００１】
【発明の属する技術分野】
本発明は、門扉用取手に関し、詳しくは、屋外側と屋内側との外観の異和感をなくした自然なものとし、屋外側からも屋内側からも開閉操作もスムーズに自然なものとすることができる門扉用取手に関するものである。
【０００２】
【従来の技術】
従来の門扉用取手１’として、図１６に示す打掛け方式が知られている。この打掛け方式は、回動扉３’に打掛棒３０を回動自在に取り付け、回動扉３’から突出する打掛棒３０を固定側扉２’に設けた受け台座３１にて受けるようにしたものであるが、屋内側Ｂの面に打掛棒３０び受け台座３１がそれぞれ突出しているため、コストが安い反面、屋内側Ｂからの見栄えが悪いという問題があった。
【０００３】
他の従来例として、図１７に示すラッチ方式が知られている。このラッチ方式は、回動扉３’側のラッチ部３３からラッチ３３ａを突出させて、固定側扉２’側のストライク孔（図示せず）を備えたストライク部３２に挿入係止させるものであるが、ラッチ部３３及びストライク部３２がそれぞれ屋内側Ｂに突出しているため、屋外側Ａと屋内側Ｂとで外観の相違による不自然さが生じ、意匠性に劣るうえに、ラッチ部３３等を鋳物等を用いて加工する必要があるなど、コストも高くつくという問題があった。
【０００４】
更に他の従来例として、図１８に示すように、固定側扉２’の側面部に錠機構３４を挿入し、台座５’及びレバーハンドル４’，４”を前後に取り付けたレバーハンドルラッチ方式が知られている。このレバーハンドルラッチ方式は、見栄え良くなる反面、錠機構３４を鋳物等を用いて加工する必要があるなど、コストが高くつくという問題があった。
【０００５】
更に他の従来例として、特開平１１−１５２９７７号公報には、図１９に示す打掛け内蔵方式が提案されている。この打掛け内蔵方式は、一対の台座５”間に構成された空間内に打掛棒３０を内蔵したものであり、外観が良くしかもコストが安くつくという利点を有している。
【０００６】
【発明が解決しようとする課題】
ところが、上記図１６の打掛け方式、及び図１９の打掛け内蔵方式では、いずれも、打掛棒３０の突出方向が決まっており、また図１７のラッチ方式や図１８のレバーハンドルラッチ方式では、いずれも、ラッチ３３ａの突出方向が決まっている。これに伴い、門扉の配置角度が一定範囲に制限されるという問題がある。例えば、柱間の開口幅は現場によって異なり、このため門扉の配置角度を現場によって変化させる必要が生じた場合にあっては、打掛棒３０やラッチ３３ａの突出角度が変化するため、複数種の門扉用取手１’を予め用意しなければならないという問題が生じる。このため従来の門扉用取手１’では、門扉の配置の変化に十分に対応できないという問題があった。
【０００７】
さらに従来では、回動扉のラッチのバラツキ等によって固定側扉に対して回動扉の閉じ位置にバラツキが生じ、回動扉を閉じているにもかかわらず、回動扉が固定側扉に対して屋外側或いは屋内側にずれて見えるという問題や、固定側扉に対して回動扉のがたつきが発生するという問題もあった。
【０００８】
本発明は、上記の従来例の問題点に鑑みて発明したものであって、その目的とするところは、簡単な構造で外観性と開閉操作性とを向上させることができるものでありながら、門扉の配置角度が様々に変化した場合でも、その角度の変化に十分に対応できるようにした門扉用取手を提供することにあり、他の目的とするところは、回動扉に戸当たり部材を設けることによって、回動扉が固定側扉に対して屋外側或いは屋内側にずれて見えるという問題をなくして門扉の外観性を向上させることができ、また戸当たり部材の取り付け強度が大幅に高められることができ、また戸当たり部材の部品数を削減して部材の合理化を図ると共に、戸当たり部材の取り付け状態を変更するのみで回動扉の開き勝手に対応でき、さらに、固定側扉に対する回動扉のがたつきの発生を確実に防止できる門扉用取手を提供することにある。
【０００９】
【課題を解決するための手段】
上記課題を解決するために請求項１記載の発明にあっては、屋外側Ａ及び屋内側Ｂに配置される一対の操作部４，４及び一対の台座５，５と、一対の台座５，５の内部を回転自在に貫通して上記一対の操作部４，４を互いに連結する回転軸６と、操作部４の操作に連動して固定側扉２の枠部分２ａに着脱可能に係止される係止手段７とを備えると共に、上記係止手段７は、先端が前方に開いた平面視コ字形に形成され上記固定側扉２の枠部分２ａを屋外側Ａと屋内側Ｂとから挟み込むコ字形挟持片８により構成され、上記コ字形挟持片８は、屋外側Ａ又は屋内側Ｂのいずれか一方の操作部４に連動して回転する可動側打掛け片８ａと、操作部４とは連動せずに屋外側Ａ又は屋内側Ｂのいずれか他方の台座５に対して固定される固定側打掛け片８ｂとに分離されており、少なくとも固定側打掛け片８ｂに固定側扉２の枠部分２ａに当たる戸当たり９が設けられていることを特徴としており、このように構成することで、現場において門扉１２の配置角度を変えたときに、固定側扉２の枠部分２ａに対するコ字形挟持片８の係止方向が変化しても、コ字形挟持片８によって枠部分２ａを任意の角度から確実に挟み込むことが可能となる。つまり係止方向の自由度が広がるので、現場によって門扉１２の配置角度が変わる場合であっても、その角度の変化に十分に対応できるようになる。しかも、コ字形挟持片８は屋外側Ａから見ても屋内側Ｂから見ても同じ外観とすることができるので、屋外側Ａから見える外観と屋内側Ｂから見える外観とで不自然さを感じることがなくなり、そのうえ、屋内側Ｂから回動扉３を開閉する場合、屋外側Ａから回動扉３を開閉する場合のいずれの場合も、操作部４を持って自然な開閉操作ができるようになる。
【００１０】
また上記コ字形挟持片８は、屋外側Ａ又は屋内側Ｂのいずれか一方の操作部４に連動して回転する可動側打掛け片８ａと、操作部４とは連動せずに屋外側Ａ又は屋内側Ｂのいずれか他方の台座５に対して固定される固定側打掛け片８ｂとに分離されており、少なくとも固定側打掛け片８ｂに固定側扉２の枠部分２ａに当たる戸当たり９が設けられているので、コ字形挟持片８を構成する固定側打掛け片８ｂと可動側打掛け片８ａとを屋外側Ａから見ても屋内側Ｂから見ても同じ外観とすることができるものでありながら、可動側打掛け片８ａのみを回転させて固定側扉２の枠部分２ａとの係止を外すことができるようになり、また少なくとも固定側扉２に戸当たり９を設けておくことで、回動扉３を閉じるときに戸当たり９によって回動扉３の位置が決まり、コ字形挟持片８による固定側扉２と回動扉３との係止が容易にできるようになる。
【００１１】
また上記コ字形挟持片８によって挟み込まれる固定側扉２の枠部分２ａの平面視形状を丸い形状にしたことを特徴とするのが好ましく、この場合、門扉１２の配置角度が異なっても、任意の角度から固定側扉２の枠部分２ａをコ字形挟持片８によって挟み込むことが可能となる。
【００１２】
また上記戸当たり９をコ字形挟持片８に対して着脱可能としたことを特徴とするのが好ましく、この場合、戸当たり９が劣化したときは戸当たり９だけの交換が容易となり、コ字形挟持片８全体を取替えなくて済むようになる。
【００１３】
また上記固定側扉２に対して回動する回動扉３には、回動扉３を閉じたときに固定側扉２に当接する戸当たり部材６０が設けられ、上記戸当たり部材６０は、平面から見て回動扉３の中心Ｎよりも回動扉３の開き側に偏心して配置されていることを特徴とするのが好ましく、この場合、戸当たり部材６０が固定側扉２に当接した状態で固定側扉２の中心Ｍと回動扉３の中心Ｎとがずれることなく回動扉３と固定側扉２とを突き合わせることが可能となり、固定側扉２に対して回動扉３が屋外側Ａ或いは屋内側Ｂにずれて見えるという不都合がなくなり、門扉１２の外観性が向上する。
【００１４】
また上記戸当たり部材６０には請求項１記載の一対の台座５に跨って装着される取付プレート６１が一体に設けられており、一方の台座５には取付プレート６１の一端６１ａ側が取り付けられる取付部６２が設けられ、他方の台座５には取付プレート６１の他端６１ｂ側がネジ締めされるネジ螺合孔６２ａが設けられ、取付プレート６１のネジ締めによって一対の台座５が互いに締め付けられる方向Ｐに押圧されるように構成されていることを特徴とするのが好ましく、この場合、戸当たり部材６０の取付プレート６１を台座５にネジ締めしたときに一対の台座５が互いに締め付けられる方向Ｐに押圧されることで、台座５に対する戸当たり部材６０の取り付け強度が大幅に高められることとなり、戸当たり部材６０の強度を容易に高めることができる。
【００１５】
また上記戸当たり部材６０は、平面から見て回動扉３の中心Ｎよりも屋外側Ａに偏心して配置される状態と、戸当たり部材６０を反転して平面から見て回動扉３の中心Ｎよりも屋内側Ｂに偏心して配置される状態とのいずれかの状態に着脱可能に取り付けられていることを特徴とするのが好ましく、この場合、回動扉３が屋外側Ａに開く場合は戸当たり部材６０を回動扉３の中心Ｎよりも屋外側Ａに偏心して配置した状態で取り付け、逆に屋内側Ｂに開く場合は、戸当たり部材６０を反転して回動扉３の中心Ｎよりも屋内側Ｂに偏心して配置した状態で取り付けることによって、１つの戸当たり部材６０を回動扉３の開き勝手に応じて使い分けることが可能となり、戸当たり部材６０の部品数を削減でき、施工の効率も良くなる。
【００１６】
また上記戸当たり部材６０を請求項１記載のコ字形挟持片８の内側に配置し、戸当たり部材６０と対向するコ字形挟持片８の一片側にアタッチメント６３を取り付け、戸当たり部材６０とアタッチメント６３とで固定側扉２の枠部分２ａを屋外側Ａと屋内側Ｂとから挟み込むようにしたことを特徴とするのが好ましく、この場合、固定側扉２に対する回動扉３のがたつきの発生を戸当たり部材６０とアタッチメント６３とで防止することができる。
【００１７】
【発明の実施の形態】
以下、本発明を添付図面に示す実施形態に基づいて説明する。
【００１８】
図１は固定側扉２の枠部分２ａを挟持するコ字形挟持片８が一体部品からなる場合の一例を示し、図２はコ字形挟持片８によって枠部分２ａを挟持する場合の一例を示し、図３は上記コ字形挟持片８が２つに分離されている他の一例を示している。ここでは、門扉１２は、平面視で平らな面状の回動扉３と、平面視で屋内側Ｂに突曲するように平面視円弧状（或いはく字状）に形成された固定側扉２とで構成されており、これにより、固定側扉２が屋内側Ｂに突曲した分だけ門扉の屋外側ＡにスペースＳが生じ、このスペースＳを来客者との応対ができるアプローチ空間として使用できるようになっている。このアプローチ空間は道路上で応対する危険をなくすことができて安全性を高めるのに役立つ。また回動扉３と固定側扉２の面材の材質は特に限定されず、アルミ鋳物、形材、スチール、ステンレス、天然木等が使用される。なお、固定側扉２の吊元側はヒンジを介して一方の門柱５４に吊り込まれ、手先側は図７に示す落とし棒５１によって固定されている。図７中の５０は固定側扉２に設けられる戸当たりである。回動扉３の吊元側はヒンジを介して他方の門柱５５に吊り込まれ、回動扉３の手先側には本発明の門扉用取手１が取り付けられている。
【００１９】
本実施形態の門扉用取手１は、図１に示すように、屋外側Ａ及び屋内側Ｂに配置される一対の操作部４，４と、屋外側Ａ及び屋内側Ｂに固定される一対の台座５，５と、一対の台座５，５の内部を回転自在に貫通して上記一対の操作部４，４を互いに連結する回転軸（図示せず）と、一方の操作部４の操作に連動して固定側扉２の枠部分２ａに着脱可能に係止される係止手段７とを備えていると共に、この係止手段７は、先端が前方に開口した平面視コ字形に形成され上記固定側扉２の枠部分２ａを屋外側Ａと屋内側Ｂとから挟み込むコ字形挟持片８にて構成されている。固定側扉２の枠部分２ａの平面視形状は、図１、図２に示すように、円形状、楕円形状などの丸い形状とするのが好ましい。このようにすることで、固定側扉２の枠部分２ａに対するコ字形挟持片８の係止方向の自由度が広がり、門扉１２の配置角度の変化に十分に対応できるようになる。なお固定側扉２の枠部分２ａの材質は、特に限定されず、鋳物製、樹脂製を問わない。なお図中の５２は施錠用鍵である。
【００２０】
また、コ字形挟持片８の先端内面には、固定側扉２の枠部分２ａに当たる戸当たり９が設けられている。この戸当たり９は例えば、樹脂或いはゴム等からなり、コ字形挟持片８と一体型又は別体型のいずれであってもよい。
【００２１】
しかして、屋外側Ａ（又は屋内側Ｂ）から一方の操作部４を下に回すと、コ字形挟持片８が操作部４に連動して下に回転して固定側扉２の枠部分２ａから外れ、これにより回動扉３を開くことができる。また回動扉３を閉じて操作部４を下から横に回すと、コ字形挟持片８が操作部４に連動して下から横に回転して固定側扉２の枠部分２ａを屋外側Ａと屋内側Ｂとから挟み込む形となり、これにより回動扉３が固定側扉２に対して係止された状態となる。
【００２２】
ここで、固定側扉２の枠部分２ａに着脱可能に係止される係止手段７を、コ字形挟持片８によって構成し、このコ字形挟持片８によって固定側扉２の枠部分２ａを屋外側Ａと屋内側Ｂとから挟み込むようにしたので、枠部分２ａに対するコ字形挟持片８の係止方向の自由度が広がる。つまり図２（ａ）、（ｂ）に示すように、現場において門扉１２の配置角度が変わることによって、固定側扉２の枠部分２ａに対するコ字形挟持片８の係止方向が変化しても、コ字形挟持片８によって枠部分２ａを任意の角度から確実に挟み込むことが可能となり、門扉１２の配置角度の変化に十分に対応できるようになる。しかも、コ字形挟持片８は屋外側Ａから見ても屋内側Ｂから見ても同じ外観とすることができると共に、操作部４及び台座５も同じ外観とすることができるので、屋外側Ａ、つまり道路側から見える外観と、屋内側Ｂ、つまり家屋側から見える外観とが同じになって、不自然さを感じることがなくなり、特に門扉面体が格子状の場合であっても、門扉用取手１の外観が揃うことで意匠性が向上する結果、不自然さを感じることもなくなる。そのうえ、屋内側Ｂから回動扉３を開閉する場合、屋外側Ａから回動扉３を開閉する場合のいずれの場合も、操作部４を持って自然な開閉操作ができるようになるので、従来のような屋内側Ｂから打掛棒を手に持って開閉操作しなければならないというような不自然な操作を強いられることがなくなり、そのうえ操作部４の操作も一般の打掛け方式と同じで、その操作方法も容易に判別できるようになるので、操作性が向上する。この結果、簡単な構造で外観性と開閉操作性とを向上させることができるものでありながら、門扉１２の配置角度が様々に変化した場合でも、その角度の変化に十分に対応できるものとなる。
【００２３】
なお、固定側扉２の枠部分２ａの平面視形状は角形であってもよいが、丸くする方法の一例として例えば図５（ｂ）に示すように、例えば樹脂製或いはダイキャスト製からなる一対の半割れ筒１０，１０を枠部分２ａの屋外側Ａと屋内側Ｂとから挟んで、ネジ１１で固定する方法がある。これにより、枠部分２ａの角形を変えずに、コ字形挟持片８によって挟持される部分だけを丸く形成することができるようになり、比較的に低コストで門扉１２の配置角度に対応できるものとなる。
【００２４】
さらにコ字形挟持片８には戸当たり９が設けられているので、回動扉３を閉じた状態で戸当たり９が固定側扉２の枠部分２ａに当たることによって、門扉１２のガタツキがなくなり、さらにガタツキ音の発生を防止できると共に、固定側扉２の枠部分２ａの塗装が戸当たり９によって剥がれたりするのを防止できるという利点があり、そのうえ、固定側打掛け片８ｂが戸当たり９を兼用するので、固定側扉２側に戸当たり５０（図７）を別途取り付ける必要がなくなり、部品点数を削減でき、しかも固定側扉２に戸当たり５０（図７）を固定するための固定孔を設けたりする必要がなく、これに伴い孔加工を省略でき、コストを低減でき、そのうえ固定側扉２の外観デザインの向上を図ることができるという利点もある。
【００２５】
図３は、上記係止手段７を構成するコ字形挟持片８を屋外側Ａと屋内側Ｂとの２部品に分離した場合の一例を示している。図３の例では、コ字形挟持片８は、屋内側Ｂの操作部４に連動して回転する可動側打掛け片８ａと、操作部４とは連動せずに屋外側Ａの台座５に対して固定される固定側打掛け片８ｂとの２つに分離されている。可動側打掛け片８ａ及び固定側打掛け片８ｂの先端には戸当たり９がそれぞれ設けられ、これら可動側打掛け片８ａと固定側打掛け片８ｂとが固定側扉２の枠部分２ａに当たる戸当たり部材を兼用した構造となっている。また図３の例では、台座５の開口部１３の内部を断面角形をした角芯からなる１本の回転軸６が回転自在に貫通しており、回転軸６の両端部は、各操作部４の軸部４ａ，４ａ’に設けられた角孔１４にそれぞれ挿入され、操作部４の下方からネジ１５にて締結固定されており、これにより屋外側Ａの操作部４と屋内側Ｂの操作部４とが回転軸６を介して一体に回転できるように連結されている。なお台座５の開口部１３の大きさは回転軸６よりも大きく設定され、これにより台座５に対する操作部４の取り付け位置を上下方向Ｄに調整可能となっている。
【００２６】
ここで、屋外側Ａに配置される固定側打掛け片８ｂの軸部８ｃは、屋外側Ａの操作部４の軸部４ｃと屋外側Ａの台座５との間に挟み込まれると共に、ネジ１８によって屋外側Ａの台座５に対して固定されており、これにより固定側扉２は操作部４とは連動して動かず、固定側扉２の枠部分２ａに対して常に対向配置されている。一方、屋内側Ｂに配置される可動側打掛け片８ａの軸部８ｃ’は、屋内側Ｂの操作部４の軸部４ｃ’と屋内側Ｂの台座５との間に挟み込まれていると共に、ネジ１６によって屋内側Ｂの操作部４の軸部４ｃ’に対して固定されており、これにより、可動側打掛け片８ａは操作部４と連動して動くようになり、固定側扉２の枠部分２ａに対して係脱自在となっている。なお本例では、可動側打掛け片８ａと固定側打掛け片８ｂの両方に戸当たり９が設けられているが、可動側打掛け片８ａの戸当たり９は省略可能である。なお図３中の１７は台座組み立て用ネジである。
【００２７】
図４（ａ）を参照して動作を説明する。屋外側Ａ（屋内側Ｂからも同様）から操作部４を開操作すると、可動側打掛け片８ａのみがそれに連動して開かれ、図４（ａ）の矢印イで示すように、可動側打掛け片８ａが固定側扉２の枠部分２ａから外れた状態となり、回動扉３を屋外側Ａに向かって開くことができる。また回動扉３を閉じると固定側打掛け片８ｂが固定側扉２の枠部分２ａに当たった状態となり、この状態で、操作部４を閉操作すると、可動側打掛け片８ａが連動して閉じて図４の矢印ロで示す方向に可動側打掛け片８ａが突出して、可動側打掛け片８ａと固定側打掛け片８ｂとで固定側扉２の枠部分２ａを挟み込んだ形となり、回動扉３が係止状態となる。なお、図４（ｂ）は可動側打掛け片８ａを屋内側Ｂ、固定側打掛け片８ｂを屋外側Ａに配置した例を示しており、回動扉３が屋内側Ｂに向かって開閉されるものである。また、図４（ａ）（ｂ）は回動扉３が右開きの場合を示しているが、図４（ｃ）（ｄ）のように左開きしてもよいものである。なお図中のＳはアプローチ空間となるスペースである。
【００２８】
しかして、上記コ字形挟持片８を可動側打掛け片８ａと固定側打掛け片８ｂとに分離することで、コ字形挟持片８を屋外側Ａから見ても屋内側Ｂから見ても同じ外観とすることができるものでありながら、可動側打掛け片８ａのみを回転させて固定側扉２の枠部分２ａとの係止を外すことができるようになる。また少なくとも固定側扉２に戸当たり９を設けておくことで、回動扉３を閉じるときに戸当たり９によって回動扉３を静かに位置決めでき、コ字形挟持片８による係止がスムーズにできるようになり、開閉操作が一層良好なものとなる。
【００２９】
なお上記各実施形態において、戸当たり９を固定側打掛け片８ｂ（可動側打掛け片８ａも同様）に一体に設けてもよいが、戸当たり９を交換するときには固定側打掛け片８ｂ全体を交換する必要があるため、図６に示すように、固定側打掛け片８ｂの先端に、戸当たり９を着脱可能に取り付けるようにするのが好ましい。図６の例では、固定側打掛け片８ｂの先端に凸台部１９を設け、凸台部１９の上下両端に固定側打掛け片８ｂの先端方向に開放された上下一対のガイド溝２０を設けると共に、凸台部１９の奥側に係止溝２１を設けてあり、一方、戸当たり９の内面には上記ガイド溝２０にスライド挿入される上下一対のガイド爪２２が突設されていると共に、上記係止溝２１に係止される係止爪２４が突設されている。これにより、戸当たり９を固定側打掛け片８ｂの先端部から差し込むだけで着脱可能に係止させることができ、これにより戸当たり９だけの交換が可能となり、固定側打掛け片８ｂ全体を取替えなくて済むため、交換にかかるコストも安価となると共に、様々な種類の戸当たりを選択して取り付け可能となる。
【００３０】
本発明の更に他の実施形態を図８〜図１５に示す。図８は戸当たり部材６０とアタッチメント６３とで固定側扉２の枠部分２ａを挟持する場合の一例を示す平面断面図、図９は正面断面図、図１０は戸当たり部材６０が設けられる側のレバーの正面図、図１１はアタッチメント６３が設けられる側のレバーの正面図、図１２〜図１５は取手の取り付け態様を示す図である。門扉用取手１のうち、戸当たり部材６０とアタッチメント６３を除く他の構成は図１〜図３の実施形態と基本的に同じであり、対応する部分には同一符号を付して詳しい説明は省略する。なお図９中の９１はサムターンツマミ、９２はツマミ取付ビス、９３はスプリング、９４はシリンダー、９５はシリンダーキーである。
【００３１】
本例では、図８に示すように、固定側扉２に対して回動する回動扉３に、回動扉３を閉じたときに固定側扉２に当接する戸当たり部材６０が設けられている。戸当たり部材６０は平面から見て回動扉３の中心Ｎよりも回動扉３の開き側に偏心して配置されている。ここでは、固定側扉２の枠部分２ａと回動扉３の枠部分３ａは、略同じ太さの円柱状に形成され、戸当たり部材６０の戸当たり面６０ａは、平面から見て回動扉３の中心Ｎよりも回動扉３の枠部分３ａの半径寸法Ｌ分だけ回動扉３の開き側に向けて片寄せ配置されている。これにより、戸当たり部材６０が固定側扉２の枠部分２ａに当接した状態で平面から見て固定側扉２の中心Ｍと回動扉３の中心Ｎとがずれることなく回動扉３と固定側扉２とを突き合わせることが可能となる。また本例では、戸当たり部材６０を、係止手段７を構成するコ字形挟持片８の内側に配置している。さらに戸当たり部材６０と対向するコ字形挟持片８の一片側にはアタッチメント６３を取り付けるアタッチメント取付基台６４が突設され、このアタッチメント取付基台６４にアタッチメント６３が着脱可能に取り付けられており、戸当たり部材６０とアタッチメント６３とで固定側扉２の枠部分２ａを屋外側Ａと屋内側Ｂとから挟み込むようにしている。アタッチメント６３の戸当たり面は、平面から見て回動扉３の中心Ｎよりも回動扉３の枠部分３ａの半径寸法Ｌ分だけ回動扉３の閉じ側に向かって片寄せ配置されている。これにより、取手の操作部４を垂直に開いたときでもアタッチメント６３が枠部分３ａに衝突するのを防止できるようになっている。なおアタッチメント６３は、例えば硬質樹脂等で構成されるが、これに限らず、ゴム弾性体等で構成されてもよい。またアタッチメント取付基台６４はコ字形挟持片８の両片にそれぞれ設けられ、いずれか一方にアタッチメント６３がアタッチメント取付基台６４に対してネジ止めされるようになっている。
【００３２】
しかして、戸当たり部材６０が固定側扉２に当接した状態で平面から見て固定側扉２の中心Ｍと回動扉３の中心Ｎとがずれることなく回動扉３と固定側扉２とを突き合わせることが可能となる。しかも、回動扉３と固定側扉２の平面視形状が平面又は曲面のいずれであっても、またどのような形状であっても、回動扉３を閉じたときには戸当たり部材６０によって固定側扉２と回動扉３とを中心合わせした形で係止できることとなり、この結果、回動扉３が固定側扉２に対して屋外側Ａ或いは屋内側Ｂにずれて見えるという不都合がなくなり、門扉１２の外観性を向上させることができる。しかも、戸当たり部材６０とこれに対向するアタッチメント６３とで固定側扉２の枠部分２ａを屋外側Ａと屋内側Ｂとから挟み込むようにしたので、固定側扉２に対する回動扉３のがたつきの発生を戸当たり部材６０とアタッチメント６３とで防止することができ、門扉１２の性能向上を図ることができる。また、取手の操作部４を垂直に開いたときにアタッチメント６３が枠部分３ａに衝突するのを防止できる構造となっているので、取手の開閉操作性を向上させることができる。また、門扉１２の位置や形態等が変化して、戸当たり部材６０とアタッチメント６３とによる固定側扉２の枠部分２ａを挟み込む角度が変化しても、固定側扉２の枠部分２ａは円柱状をしているため、任意の角度から確実に挟み込むことが可能となる。この結果、門扉１２の位置等の変化に容易に対応し得るものとなる。また戸当たり部材６０はコ字形挟持片８の内側に配置されるため、戸当たり部材６０は屋外側Ａから見ても屋内側Ｂから見ても大きく目立つことがないものであり、しかも最初に戸当たり部材６０が固定側扉２の枠部分２ａの片面に当ることによってアタッチメント６３を固定側扉２の枠部分２ａの反対側の片面に対してスムーズに係止させることができ、開閉操作性が一層良くなる。さらに、戸当たり部材６０が劣化したときは戸当たり部材６０だけを台座５から取り外して交換できるようになる。さらにアタッチメント６３が劣化したときはアタッチメント取付基台６４からアタッチメント６３を取り外して交換できるので、コ字形挟持片８全体を取替えなくて済み、交換にかかるコストを低減でき、メンテナンスも容易となる。
【００３３】
また本例では、上記戸当たり部材６０には一対の台座５に跨って装着される取付プレート６１が一体に設けられており、一対の台座５には取付部６２がそれぞれ設けられている。本例では、取付部６２は、一対の台座５の前側面にそれぞれ設けられるネジ螺合孔６２ａと、一対の台座５の外側面にそれぞれ設けられる引掛け凹所６２ｂとで構成される。一対のネジ螺合孔６２ａは互いに平行ではなく、ネジ螺合孔６２ａの入側が最も離れ、ネジ螺合孔６２ａの奥側が最も接近するように平面から見てハ字状に傾斜しており、後述のように取付プレート６１のネジ締めによって一対の台座５が互いに締め付けられる方向Ｐに押圧されるように構成されている。一方、戸当たり部材６０の取付プレート６１は一対の台座５の前側面を覆うようにして取り付けられるものであり、一端６１ａに略Ｌ字状の引掛け片が設けられ、他端側にはネジ挿入孔が設けられている。
【００３４】
ここで、図１２（ａ）、図１４（ａ）に示すように、回動扉３が屋外側Ａに開くタイプの場合は、戸当たり部材６０を回動扉３の中心Ｎよりも平面から見て屋外側Ａに偏心した位置にくるように、取付プレート６１を一対の台座５に装着する。このとき取付プレート６１の一端６１ａの引掛け片を屋内側Ｂの台座５の引掛け凹所６２ｂに引掛け、取付プレート６１の他端６１ｂを屋外側Ａの台座５の外側面に沿わせた状態とし、この状態でネジ６５を取付プレート６１の他端６１ｂ側を貫通して屋外側Ａの台座５に設けたネジ螺合孔６２ａに螺入する。このとき、ネジ螺合孔６２ａはその入側が屋内側Ｂの台座５から最も離れ、奥側が屋内側Ｂの台座５に最も接近するように傾斜しているので、ネジ６５をネジ螺合孔６２ａに螺合すると取付プレート６１のネジ螺合孔６２ａが屋外側Ａに引っ張られた状態となる。つまり一対の台座５が互いに締め付けられる方向Ｐに押圧された状態となり、この状態で屋外側Ａの台座５に対してネジ締めされるようになっている。
【００３５】
なお、図１２（ｂ）、図１４（ｂ）、に示すように、回動扉３が屋内側Ｂに開くタイプの場合は、戸当たり部材６０を反転して回動扉３の中心Ｎよりも平面から見て屋内側Ｂに偏心した位置にくるように、取付プレート６１を一対の台座５に装着すればよく、このとき取付プレート６１の一端６１ａの引掛け片を屋外側Ａの台座５の引掛け凹所６２ｂに引掛け、取付プレート６１の他端６１ｂを屋内側Ｂの台座５にネジ締めする。
【００３６】
しかして、回動扉３が屋外側Ａに開く場合、屋内側Ｂに開く場合のいずれにおいても、戸当たり部材６０の取付プレート６１を台座５にネジ締めしたときに一対の台座５が互いに締め付けられる方向Ｐに押圧されることで、台座５に対する戸当たり部材６０の取り付け強度が大幅に高められることとなり、しかも、取付プレート６１の一端６１ａを引掛け、他端をネジ締めするだけでよいので、簡単な構造で戸当たり部材６０を強度面で強くすることができる。また、図１３、図１５に示すように、戸当たり部材６０の戸当たり面６０ａにゴム等の弾性シート９０を貼着するのが望ましい。この場合、固定側扉２の枠部分２ａと戸当たり部材６０との間にクッション性の弾性シート９０が介在されることで、隙間Ｓを一層生じにくくすることができる。
【００３７】
さらに本例では、一対の台座５にそれぞれ引掛け凹所６２ｂとネジ螺合孔６２ａを設けているので、戸当たり部材６０を反転して回動扉３が屋内側Ｂに開く場合と屋外側Ａに開く場合とに応じて取り付け可能となっている。つまり、戸当たり部材６０は、平面から見て回動扉３の中心Ｎよりも屋外側Ａに偏心して配置される状態と、戸当たり部材６０を反転して平面から見て回動扉３の中心Ｎよりも屋内側Ｂに偏心して配置される状態とのいずれかの状態に着脱可能に取り付けられるので、回動扉３が屋外側Ａに開く場合は戸当たり部材６０を回動扉３の中心Ｎよりも屋外側Ａに偏心して配置した状態で取り付け、逆に屋内側Ｂに開く場合は、戸当たり部材６０を反転して回動扉３の中心Ｎよりも屋内側Ｂに偏心して配置した状態で取り付けることによって、１つの戸当たり部材６０を回動扉３の開き勝手に応じて使い分けることが可能となり、戸当たり部材６０の部品数を削減でき、部材の合理化を図ることができる。また戸当たり部材６０を屋外側Ａに偏心して配置したときはアタッチメント６３をコ字形挟持片８の屋内側Ｂのアタッチメント取付基台６４に取り付けるようにし、逆に戸当たり部材６０を屋内側Ｂに偏心して配置したときはアタッチメント６３をコ字形挟持片８の屋外側Ａのアタッチメント取付基台６４に取り付けるようにするだけで、回動扉３の開き勝手に容易に対応できるようになり、施工の効率が一層良くなるという利点もある。
【００３８】
なお前記各実施形態では、固定側扉２を平面視で円弧状（或いはく字状等）の面材により形成し、回動扉３を平面視で平らな面材により形成した場合を例示したが、これに限定されるものではなく、固定側扉２と回動扉３の両方を平面視で平らな面材としてもよく、或いは両方を平面視で円弧状の面材としてもよく、現場に応じて様々な門扉形状が選択自在である。
【００３９】
【発明の効果】
上述のように請求項１記載の発明にあっては、屋外側及び屋内側に配置される一対の操作部及び一対の台座と、一対の台座の内部を回転自在に貫通して上記一対の操作部を互いに連結する回転軸と、操作部の操作に連動して固定側扉の枠部分に着脱可能に係止される係止手段とを備えると共に、上記係止手段は、先端が前方に開いた平面視コ字形に形成され上記固定側扉の枠部分を屋外側と屋内側とから挟み込むコ字形挟持片により構成され、上記コ字形挟持片は、屋外側又は屋内側のいずれか一方の操作部に連動して回転する可動側打掛け片と、操作部とは連動せずに屋外側又は屋内側のいずれか他方の台座に対して固定される固定側打掛け片とに分離されており、少なくとも固定側打掛け片に固定側扉の枠部分に当たる戸当たりが設けられているので、現場において門扉の配置角度が変わることによって、固定側扉の枠部分に対するコ字形挟持片の係止方向が変化しても、コ字形挟持片によって枠部分を任意の角度から確実に挟み込むことが可能となる。つまり係止方向の自由度が広がるので、現場によって門扉の配置角度が変わる場合であっても、その角度の変化に十分に対応できるようになる。しかも、コ字形挟持片は屋外側から見ても屋内側から見ても同じ外観とすることができるので、屋外側から見える外観と屋内側から見える外観とが同じになって、不自然さを感じることがなく、意匠性が向上する。さらに、屋内側から回動扉を開閉する場合、屋外側から回動扉を開閉する場合のいずれの場合も、操作部を持って自然な開閉操作ができて操作性が向上する。この結果、簡単な構造で外観性と開閉操作性とを向上させることができるものでありながら、門扉の配置角度が様々に変化した場合でも、その角度の変化に十分に対応できる門扉用取手を提供することができる。
【００４０】
また、上記コ字形挟持片は、屋外側又は屋内側のいずれか一方の操作部に連動して回転する可動側打掛け片と、操作部とは連動せずに屋外側又は屋内側のいずれか他方の台座に対して固定される固定側打掛け片とに分離されており、少なくとも固定側打掛け片に固定側扉の枠部分に当たる戸当たりが設けられているので、つまり、コ字形挟持片を可動側打掛け片と固定側打掛け片とに分離することで、コ字形挟持片を屋外側から見ても屋内側から見ても同じ外観とすることができるものでありながら、可動側打掛け片のみを回転させて固定側扉の枠部分との係止を外すことができるようになり、このとき少なくとも固定側扉に戸当たりを設けておくことで、回動扉を閉じるときに戸当たりによって回動扉の位置が決まり、コ字形挟持片による固定側扉と回動扉との係止が容易にできるようになり、開閉操作性が一層向上するようになる。
【００４１】
また請求項２記載の発明は、請求項１記載の効果に加えて、上記コ字形挟持片によって挟み込まれる固定側扉の枠部分の平面視形状を丸い形状にしたので、門扉の配置角度が異なっても、その角度の変化にかかわらず、任意の角度から固定側扉の枠部分をコ字形挟持片によって挟み込むことが可能となり、門扉の配置角度の変化に一層対応できるようになる。
【００４２】
また請求項３記載の発明は、請求項１記載の効果に加えて、上記戸当たりをコ字形挟持片に対して着脱可能としたので、戸当たりが劣化したときは戸当たりだけの交換が容易となり、コ字形挟持片全体を取替えなくて済むため、交換にかかるコストも安価となる。
【００４３】
また請求項４記載の発明は、請求項１記載の効果に加えて、上記固定側扉に対して回動する回動扉に、回動扉を閉じたときに固定側扉に当接する戸当たり部材が設けられ、上記戸当たり部材は、平面から見て回動扉の中心よりも回動扉の開き側に偏心して配置されているので、戸当たり部材が固定側扉に当接した状態で平面から見て固定側扉の中心と回動扉の中心とがずれることなく回動扉と固定側扉とを突き合わせることが可能となり、回動扉が固定側扉に対して屋外側或いは屋内側にずれて見えるという不都合がなくなり、門扉の外観性を向上させることができる。
【００４４】
また請求項５記載の発明は、請求項４記載の効果に加えて、上記戸当たり部材には請求項１記載の一対の台座に跨って装着される取付プレートが一体に設けられており、一方の台座には取付プレートの一端側が取り付けられる取付部が設けられ、他方の台座には取付プレートの他端側がネジ締めされるネジ螺合孔が設けられ、取付プレートのネジ締めによって一対の台座が互いに締め付けられる方向に押圧されるように構成されているので、戸当たり部材の取付プレートを台座にネジ締めしたときに一対の台座が互いに締め付けられる方向に押圧されることで、台座に対する戸当たり部材の取り付け強度が大幅に高められることとなり、しかも、取付プレートの一端を取り付け、他端をネジ締めするだけで、戸当たり部材の強度を容易に高めることができる。
【００４５】
また請求項６記載の発明は、請求項４又は５記載の効果に加えて、上記戸当たり部材は、平面から見て回動扉の中心よりも屋外側に偏心して配置される状態と、戸当たり部材を反転して平面から見て回動扉の中心よりも屋内側に偏心して配置される状態とのいずれかの状態に着脱可能に取り付けられているので、回動扉が屋外側に開く場合は戸当たり部材を回動扉の中心よりも屋外側に偏心して配置した状態で取り付け、逆に屋内側に開く場合は、戸当たり部材を反転して回動扉の中心よりも屋内側に偏心して配置した状態で取り付けることによって、１つの戸当たり部材を回動扉の開き勝手に応じて使い分けることが可能となり、戸当たり部材の部品数を削減でき、部材の合理化を図ることができる。また、戸当たり部材の取り付け状態を変更するのみで回動扉の開き勝手に対応できるので、施工の効率も良くなる。
【００４６】
また請求項７記載の発明は、請求項４乃至請求項６のいずれかに記載の効果に加えて、上記戸当たり部材を請求項１記載のコ字形挟持片の内側に配置し、戸当たり部材と対向するコ字形挟持片の一片側にアタッチメントを取り付け、戸当たり部材とアタッチメントとで固定側扉の枠部分を屋外側と屋内側とから挟み込むようにしたので、固定側扉に対する回動扉のがたつきの発生を戸当たり部材とアタッチメントとで防止することができ、門扉性能を一層向上させることができるものである。
【図面の簡単な説明】
【図１】本発明の実施形態の一例を示す一部省略した斜視図である。
【図２】（ａ）（ｂ）は同上の門扉の配置角度が異なる場合の一例を示す平面図である。
【図３】同上のコ字形挟持片を２つに分離した場合の実施形態を説明する分解斜視図である。
【図４】（ａ）は同上の門扉用取手を右開き方式で且つ屋外側に開閉できる仕様の一例を示し、（ｂ）は右開き方式で且つ屋内側に開閉できる仕様の一例を示し、（ｃ）は左開き方式で且つ屋外側に開閉できる仕様の一例を示し、（ｄ）は左開き方式で且つ屋内側に開閉できる仕様の一例を示す図である。
【図５】（ａ）は同上の固定側扉の枠部分の平面視形状が丸い形状の場合の斜視図、（ｂ）は角形状の枠部分に一対の半割れ筒を取り付ける場合の一例を示す斜視図である。
【図６】（ａ）は同上の戸当たりをコ字形挟持片に着脱可能とする場合の一例を示す斜視図、（ｂ）は戸当たりを裏面側から見た斜視図である。
【図７】同上の門扉用取手を取り付けた門扉の斜視図である。
【図８】本発明の他の実施形態であり、戸当たり部材とアタッチメントとで固定側扉の枠部分を挟持する場合の平面断面図である。
【図９】同上の正面断面図。
【図１０】同上の戸当たり部材が設けられる側のレバーの正面図である。
【図１１】同上のアタッチメントが設けられる側のレバーの正面図である。
【図１２】（ａ）は同上の戸当たり部材が設けられる回動扉が屋内側に開き、この戸当たり部材が左側の固定側扉に当接する場合の平面図、（ｂ）は戸当たり部材が設けられる回動扉が屋外側に開き、この戸当たり部材が左側の固定側扉に当接する場合の平面図である。
【図１３】図１２（ａ）の拡大図である。
【図１４】（ａ）は同上の戸当たり部材が設けられる回動扉が屋内側に開き、この戸当たり部材が右側の固定側扉に当接する場合の平面図、（ｂ）は戸当たり部材が設けられる回動扉が屋外側に開き、この戸当たり部材が右側の固定側扉に当接する場合の平面図である。
【図１５】図１４（ｂ）の拡大図である。
【図１６】従来の打掛け方式を説明する斜視図である。
【図１７】従来のラッチ方式を説明する分解斜視図である。
【図１８】従来のレバーハンドルラッチ方式を説明する分解斜視図である。
【図１９】従来の打掛け内蔵方式を説明する平面図である。
【符号の説明】
１  門扉用取手
２  固定側扉
２ａ  枠部分
３  回動扉
４  操作部
５  台座
６  回転軸
７  係止手段
８  コ字形挟持片
８ａ  可動側打掛け片
８ｂ  固定側打掛け片
９  戸当たり
６０  戸当たり部材
６１  取付プレート
６１ａ  一端
６１ｂ  他端
６２  取付部
６２ａ  ネジ螺合孔
６３  アタッチメント
Ａ  屋外側
Ｂ  屋内側
Ｍ  固定側扉の中心
Ｎ  回動扉の中心
Ｐ  台座の締め付け方向
【図１】
0003879544.tif 000002
【図２】
0003879544.tif 000003
【図３】
0003879544.tif 000004
【図４】
0003879544.tif 000005
【図５】
0003879544.tif 000006
【図６】
0003879544.tif 000007
【図７】
0003879544.tif 000008
【図８】
0003879544.tif 000009
【図９】
0003879544.tif 000010
【図１０】
0003879544.tif 000011
【図１１】
0003879544.tif 000012
【図１２】
0003879544.tif 000013
【図１３】
0003879544.tif 000014
【図１４】
0003879544.tif 000015
【図１５】
0003879544.tif 000016
【図１６】
0003879544.tif 000017
【図１７】
0003879544.tif 000018
【図１８】
0003879544.tif 000019
【図１９】
0003879544.tif 000020